(57)【要約】      （修正有）【課題】サイドミラーを耳に掛けるようにして目に近い位置に設け、見たい方向の後方が見えるようにする。【解決手段】左右２本のテンプル４、４の先に設けたヨロイ５、５に鏡１、１を取り付け、この鏡１、１に連結体９を掛け渡して結合し、テンプル４、４の後にＧ型モダン２、２が耳殻の外側の形状に沿わせて延長されており、その終端部は耳朶３、３を避けるように前方に湾曲されており、このＧ型モダン２、２の終端部の最後尾には、耳穴６、６に固定するための保持体７、７が設けられていて、２本のテンプル４、４の間に、ヘッドバンド８が頭の外側の形状に沿わせて掛け渡して取り付けられている。【選択図】図１
2010176043.tif 000002
【特許請求の範囲】
【請求項１】
耳に掛けて後方を見るサイドミラーであって、左右２本のテンプル（４、４）の先に設けたヨロイ（５、５）に鏡（１、１）を取り付け、この鏡（１、１）に連結体（９）を掛け渡して結合し、上記テンプル（４、４）の後にＧ型モダン（２、２）が耳殻の外側の形状に沿わせて延長されており、その終端部は耳朶（３、３）を避けるように前方に湾曲されており、このＧ型モダン（２、２）の終端部の最後尾には、耳穴（６、６）に固定するための保持体（７、７）が設けられていることを特徴とするサイドミラー。
【請求項２】
耳に掛けて後方を見るサイドミラーであって、左右２本のテンプル（４、４）の先に設けたヨロイ（５、５）に鏡（１、１）を取り付け、この鏡（１、１）の間に風防体（１０）を設け、上記テンプル（４、４）の後にＧ型モダン（２、２）が耳殻の外側の形状に沿わせて延長されており、その終端部は耳朶（３、３）を避けるように前方に湾曲されており、このＧ型モダン（２、２）の終端部の最後尾には、耳穴（６、６）に固定するための保持体（７、７）が設けられていることを特徴とするサイドミラー。
【請求項３】
耳に掛けて後方を見るサイドミラーであって、左右２本のテンプル（４、４）の先に設けたヨロイ（５、５）に風防板（１０）を取り付け、このヨロイ（５、５）又は上記テンプル（４、４）に着脱部（２１、２１）を設け、前方に補助テンプル（２２、２２）を延設し、この補助テンプル（２２、２２）の先端に鏡（１、１）を結合させてサイドミラー部（２３）とし、このサイドミラー部（２３）を着脱可能に設けられていて、上記テンプル（４、４）の後にＧ型モダン（２、２）が耳殻の外側の形状に沿わせて延長されており、その終端部は耳朶（３、３）を避けるように前方に湾曲されており、このＧ型モダン（２、２）の終端部の最後尾には、耳穴（６、６）に固定するための保持体（７、７）が設けられていることを特徴とするサイドミラー。
【請求項４】
耳に掛けて後方を見るサイドミラーであって、左右２本のテンプル（４、４）の先に設けたヨロイ（５、５）に鏡（１、１）を取り付け、この鏡（１、１）の間にひさし（１３）を設け、上記テンプル（４、４）の後にＧ型モダン（２、２）が耳殻の外側の形状に沿わせて延長されており、その終端部は耳朶（３、３）を避けるように前方に湾曲されており、このＧ型モダン（２、２）の終端部の最後尾には、耳穴（６、６）に固定するための保持体（７、７）が設けられていることを特徴とするサイドミラー。
【請求項５】
耳に掛けて後方を見るサイドミラーであって、左右２本のテンプル（４、４）の先に設けたヨロイ（５、５）に鏡（１、１）を取り付け、このテンプル（４、４）の後にＧ型モダン（２、２）が耳殻の外側の形状に沿わせて延長されており、その終端部は耳朶（３、３）を避けるように前方に湾曲されており、このＧ型モダン（２、２）の終端部の最後尾には、耳穴（６、６）に固定するための保持体（７、７）が設けられ、このＧ型モダン（２、２）が支持体（１２）によって結合されていることを特徴とするサイドミラー。
【請求項６】
上記両ＣＧ型モダン（２、２）の最後尾に保持体（７、７）に変えて固定体（１１、１１・・・）又は固定カバー（２０、２０）が着脱自在に設けられていることを特徴とする請求項１〜５の何れかに記載のサイドミラー。
【請求項７】
上記２本のテンプル（４、４）の間に、ヘッドバンド（８）が頭の外側の形状に沿わせて掛け渡して取り付けられていることを特徴とする請求項１〜５の何れかに記載のサイドミラー。
【請求項８】
上記ＣＧ型モダン（２、２）の略中央に屈曲部（１６、１６）を設け、屈曲可能に成されていることを特徴とする請求項１〜５の何れかに記載のサイドミラー。
【請求項９】
上記ヨロイ（５、５）に補助ヨロイ（１５、１５）を設け、この補助ヨロイ（１５、１５）に上記鏡（１、１）が取り付けられていることを特徴とする請求項１〜４の何れかに記載のサイドミラー。
【請求項１０】
上記ヨロイ（５、５）又は上記ヨロイ（５、５）及び着脱部（２１）を省略して、このヨロイ（５、５）と上記テンプル（４、４）又は／及びヨロイ（５、５）と上記補助テンプル（２２、２２）が直結されて設けられていることを特徴とする請求項１〜５の何れかに記載のサイドミラー。  
【発明の詳細な説明】
【技術分野】
【０００１】
本発明は、耳に掛けて後方を見るサイドミラーに関する。
【背景技術】
【０００２】
従来、自転車、モーターバイクのサイドミラーはハンドルに取り付けられていて、サイドミラーと目との間は離れている。走行中はサイドミラーの鏡が小さくハンドルの動きに合わせて動いているので、見たい後方とは違う方向に鏡が向いている場合があるので見難い。サイドミラーはハンドルより外側に突出しているので、走行中に当る危険性があり、ハンドル操作に影響する場合がある。サイドミラーの取り付け位置を変えることは難しい。
【先行技術文献】
【特許文献】
【０００３】
【特許文献１】特開２００７−４１４６０
【特許文献２】特開２００６−１３３７２８
【特許文献３】特開平８−２１１３３８
【０００４】
特許文献１は、長いストレートテンプルと係止具を用いているので、メガネを掛けた時に邪魔になり、見た目が悪くメガネを十分固定することはできない。
【０００５】
特許文献２は、ぜんまいばねによって両方の耳の部位のみで支持されているので、ばねによる圧迫感があり、メガネは十分固定されていない。
【０００６】
特許文献３は、一方のメガネのつるに髪止め状の器具を取り付けているので、バランスが悪く傾き易い。
【発明の概要】
【発明が解決しようとする課題】
【０００７】
サイドミラーはハンドルより外側に突出して取り付けられていて、鏡が小さく目との間が離れているので見え難いことが問題点となる。サイドミラーを目の近くに設けることによって、鏡を小さく軽くして見易いようにすることができる。そこで本発明は、サイドミラーを耳に掛けるようにして目に近い位置に設け、見たい方向の後方が見えるようにすることを課題としている。
【課題を解決するための手段】
【０００８】
左右２本のテンプル４、４の先に設けたヨロイ５、５に鏡１、１を取り付け、この鏡１、１に連結体１３を掛け渡して結合し、テンプル４、４の後にＧ型モダン２、２が耳殻の外側の形状に沿わせて延長されており、その終端部は耳朶３、３を避けるように前方に湾曲されており、このＧ型モダン２、２の終端部の最後尾には、耳穴６、６に固定するための保持体７、７が設けられている構造にすることである。
【発明の効果】
【０００９】
本発明の効果として、Ｇ型モダン２を耳殻に掛けて、このＧ型モダン２の終端部の最後尾に設けた保持体７を耳穴６の中で固定することによって、サイドミラーを耳に掛けることができる。サイドミラーを耳に掛けることによって、前方を見ながら顔の前方横に設けた小さい鏡で後方を見ることができる。首を少し回すことによって見たい後方を見ることができる。サイドミラーの形状が小さくなり取り扱い易い、サイドミラーを折り畳んで携帯することができる。風防体１０を取り付けことによって目を保護することができる。ひさし９を取り付けることによって、太陽の日差しを遮ることができる。
【図面の簡単な説明】
【００１０】
【図１】本発明１の実施の形態の一例を示す斜視図、説明図である。
【図２】本発明１の実施の形態の一例を示す説明図、ＡＡ線による縦断面図である。
【図３】本発明２の実施の形態の一例を示す斜視図である。
【図４】本発明２の実施の形態の一例を示す斜視図である。
【図５】本発明３の実施の形態の一例を示す斜視図である。
【図６】本発明４の実施の形態の一例を示す斜視図である。
【図７】本発明５の実施の形態の一例を示す説明図である。
【図８】本発明６の実施の形態の一例を示す斜視図である。
【図９】本発明７の実施の形態の一例を示す斜視図である。
【図１０】本発明８の実施の形態の一例を示す斜視図である。
【図１１】本発明９の実施の形態の一例を示す斜視図である。
【発明を実施するための形態】
【００１１】
左右２本のテンプル４、４の先に設けたヨロイ５、５に鏡１、１を取り付け、この鏡１、１に連結体１３を掛け渡して結合し、テンプル４、４の後にＧ型モダン２、２が耳殻の外側の形状に沿わせて延長させて、その終端部は耳朶３、３を避けるように前方に湾曲させ、このＧ型モダン２、２の終端部の最後尾には、耳穴６、６に固定するための保持体７、７が設けられていることである。
【実施例１】
【００１２】
そこで、本発明の請求項１記載のサイドミラー（以下、本発明１と言う）は、耳に掛けて後方を見るサイドミラーであって、左右２本のテンプル４、４の先に設けたヨロイ５、５に鏡１、１を取り付け、この鏡１、１に連結体９を掛け渡して結合し、上記テンプル４、４の後にＧ型モダン２、２が耳殻の外側の形状に沿わせて延長されており、その終端部は耳朶３、３を避けるように前方に湾曲されており、このＧ型モダン２、２の終端部の最後尾には、耳穴６、６に固定するための保持体７、７が設けられていることを特徴としている。
【００１３】
実施の形態の一例として、第１a図は本発明１のサイドミラーの斜視図であり、第１b図は第１a図の保持体７の部分拡大図である。左右２本のテンプル４、４の先に設けたヨロイ５、５に鏡１、１を取り付け、この鏡１、１に連結体９を掛け渡して結合し、テンプル４、４の後にＧ型モダン２、２が耳殻の外側の形状に沿わせて延長させ、その終端部は耳朶３、３を避けるように前方に湾曲させ、このＧ型モダン２、２の終端部の最後尾には、耳穴６、６の中に固定するための保持体７、７が設けられていることを示している。
【００１４】
実施の形態の一例として、第１b図は第１a図の保持体７の部分拡大図である。保持体７は外耳道１７に嵌め込み易いようにイヤホーン状体の形状をしていて、音が聞こえるように貫通孔２４を設けている。このイヤホーン状体は外耳道１７内に入り過ぎないように外耳道１７より大きいストッパーを設けた形状であり、外耳道１７に嵌め込んで固定することができる。第１ｃ図は別の形状の保持体７の拡大図であり、目立たないように外耳道１７に嵌め込んで固定できる、中心に貫通孔２４を設けた小さい筒状体である。
【００１５】
実施の形態の一例として、第１d図は本発明１のＧ型モダン１を耳に固定してサイドミラーを掛けた状態を示している。２個の保持体７を２箇所の外耳道１７に嵌め込んで固定し、２個のＧ型モダン１を耳殻に掛けることによってメガネを支えることができる。メガネのレンズは浮いた状態に成るのでパッドを省略することができる。Ｇ型モダン１、保持体７の材質を皮膚への接触感の良い弾性体で製作することによって、簡単にメガネを掛けたり外したりすることができる。
【００１６】
本発明で言う耳穴２とは、外耳道１７だけではなく耳殻、耳朶３で囲われた凹んだ部分を指している。本発明の保持体７の形状は、外耳道１７に挿入できる筒状体、窪み６の形状に合わせた保持し易い形状であり、人によって窪み６の形状が異なるため限定しない。耳穴２に納まる大きさであれば良い。連結体９、保持体２０の材質はスポンジ、プラスチック、ゴム、金属、セラミックなどである。鏡の材質は、ガラス、プラスチック、ステンレスなどである。
【００１７】
本発明１のサイドミラーは、パッドを省略してＧ型モダン２だけでメガネを支えているので、顔の前に遮るものは無く、小さい鏡が前方の景色の中に見えているだけであり、前方を見ながら自然に小さい鏡に映った後方を見ることができる。首を少し回すことによって見たい方向の後方も見ることができる。サイドミラーを掛けた状態で帽子を被ることもできる。歩いている時も後方の安全を確認することができる。顔の横にサイドミラーは少し出ているがものに当たる心配はない。小さいのでサイドミラーを折り畳んで携帯することができる便利なサイドミラーである
【００１８】
実施の形態の一例として、第２a図は本発明１のＧ型モダン２の図であり、第２ｃ図は本発明１のＧ型モダン２を耳に掛けている状態を示している図であり、第２ｄ図は第２ｃ図のＡＡ線による断面図である。このＧ型モダン２は耳殻の外側の形状に沿わせて延長させ、終端部の最後尾に設けた保持体７の形状はイヤホーン状体である、この保持体７を外耳道１７に嵌めるようにして固定することができる。第２b図は別の保持体７の形状の図であり、耳殻の外側の形状に沿わせて延長させたＧ型モダン２、２の最後尾の保持体７、７は、耳穴６の中の窪み１８に嵌め込むようにした形状であり、外耳道１７を塞がない形状であることを示している。また保持体７はイヤホーン状体と窪み５の形状合わせて連結した形状にしても良い。
【００１９】
サイドミラーの取り付け位置は、目の前方外側の後方が見易い位置に取り付け、サイドミラーを見る時は、目を横に動かして見たい方向に首を少し回すだけで見ることができる。サイドミラーを見るために目を動かした時は、サイドミラーを見る左右の目の角度が異なり、一方の目はサイドミラーを見て他方の目は前方を見ているので、前方と後方を二重にして見ることができる。目と首を同時に動かすことによって広い範囲の前後の安全を確認することができる。
【実施例２】
【００２０】
本発明の請求項２記載のサイドミラー（以下、本発明２と言う）は、耳に掛けて後方を見るサイドミラーであって、左右２本のテンプル４、４の先に設けたヨロイ５、５に鏡１、１を取り付け、この鏡１、１又は上記テンプル４、４の間に風防体１０を設け、上記テンプル４、４の後にＧ型モダン２、２が耳殻の外側の形状に沿わせて延長されており、その終端部は耳朶３、３を避けるように前方に湾曲されており、このＧ型モダン２、２の終端部の最後尾には、耳穴６、６に入れるための保持体７、７が設けられていることを特徴としている。
【００２１】
実施の形態の一例として、第３a図は本発明２の鏡１、１の間に風防体１０を取り付けた斜視図であり、耳穴２内の外耳道１７に保持体７を嵌め込んで支持しているので、前方に長くしたテンプルの先端に大きい風防体１０を取り付け、メガネ状に形成することができる。大きな風防体１０を取り付けることによって、自転車を乗っている時に対向する風をよけて、顔を保護することができる。
【００２２】
かかる構成により、サイドミラーを顔の前方両側に取り付け、見たい方向に頭を左右に少し動かすことによって、肩越しに後方確認することができる。また大きい風防体３４を取り付けることによって、視野を広くし目を保護してサイドミラーから後方の安全を確認することができる。
【実施例３】
【００２３】
本発明の請求項３記載のサイドミラー（以下、本発明３と言う）は、耳に掛けて後方を見るサイドミラーであって、左右２本のテンプル４、４の先に設けたヨロイ５、５に風防板１０を取り付け、このヨロイ５、５又は上記テンプル４、４に着脱部２１、２１を設け、前方に補助テンプル２２、２２を延設し、この補助テンプル２２、２２の先端に鏡１、１を結合させてサイドミラー部２３とし、このサイドミラー部２３を着脱可能
に設けられていて、上記テンプル４、４の後にＧ型モダン２、２が耳殻の外側の形状に沿わせて延長されており、その終端部は耳朶３、３を避けるように前方に湾曲されており、このＧ型モダン２、２の終端部の最後尾には、耳穴６、６に固定するための保持体７、７が設けられていることを特徴としている。
【００２４】
実施の形態の一例として、第４a図は本発明３の風防体１０をテンプル４、４に取り付けたサイドミラーの斜視図であり、第４b図は第４a図の部分拡大図であり、テンプル４、４に着脱部２１、２１を設け、前方に補助テンプル２２、２２を延設し、この補助テンプル２２、２２の先端に鏡１、１を結合させてサイドミラー部２３とし、このサイドミラー部２３を着脱可能に設け、テンプル４、４の後にＧ型モダン２、２が耳殻の外側の形状に沿わせて延長されて、その終端部は耳朶３、３を避けるように前方に湾曲されて、このＧ型モダン２、２の終端部の最後尾には、耳穴６、６に固定するための保持体７、７が設けられていることを示している。
【００２５】
テンプル１４に補助テンプル２４によって前方に鏡１、１を設けることができるので、風防体１０は目の近くに設けることができる。第４ｃ図は着脱部２１をテンプル４に設けた図である。風防体１０目に近づけてテンプル４、４に取り付けることによって、自転車を乗っている時に対向する風をよけることができる。目を保護することができる。
【実施例４】
【００２６】
本発明の請求項４記載のサイドミラー（以下、本発明４と言う）は、耳に掛けて後方を見るサイドミラーであって、左右２本のテンプル４、４の先に設けたヨロイ５、５に鏡１、１を取り付け、この鏡１、１の間にひさし１３を設け、上記テンプル４、４の後にＧ型モダン２、２が耳殻の外側の形状に沿わせて延長されており、その終端部は耳朶３、３を避けるように前方に湾曲されており、このＧ型モダン２、２の終端部の最後尾には、耳穴６、６に固定するための保持体７、７が設けられていることを特徴としている。
【００２７】
実施の形態の一例として、第５a図は本発明４の鏡１、１ひさし１３を取り付けた斜視図である。左右２本のテンプル４、４の先に設けたヨロイ５、５に鏡１、１を取り付け、この鏡１、１にを結合させ、テンプル４、４の後にＧ型モダン２、２が耳殻の外側の形状に沿わせて延長させ、その終端部は耳朶３、３を避けるように前方に湾曲させて、このＧ型モダン２、２の終端部の最後尾には、耳穴６、６に固定するための保持体７、７が設けられていることを示している。
【００２８】
第５ｂ図は本発明４のメガネにひさし１３を取り付け耳に掛けているので、太陽の日差しを遮ることができる。
【実施例５】
【００２９】
本発明の請求項５記載のサイドミラー（以下、本発明５と言う）は、耳に掛けて後方を見るサイドミラーであって、左右２本のテンプル４、４の先に設けたヨロイ５、５に鏡１、１を取り付け、このテンプル４、４の後にＧ型モダン２、２が耳殻の外側の形状に沿わせて延長されており、その終端部は耳朶３、３を避けるように前方に湾曲されており、このＧ型モダン２、２の終端部の最後尾には、耳穴６、６に入れるための保持体７、７が設けられ、このＧ型モダン２、２が支持体１２によって結合されていることを特徴としている。
【００３０】
実施の形態の一例として、第６a図は本発明５のサイドミラーの斜視図であり、左右２本のテンプル４、４の先に設けたヨロイ５、５に鏡１、１を取り付け、このテンプル４、４の後にＧ型モダン２、２が耳殻の外側の形状に沿わせて延長させ、その終端部は耳朶３、３を避けるように前方に湾曲させ、このＧ型モダン２、２の終端部の最後尾には、耳穴６、６に固定するための保持体７、７が設けられ、このＧ型モダン２、２が支持体１２によって結合されていることを示している。第６b図は２本のテンプル４、４が前方外側に延設されていることを示している。鏡１を固定しているテンプル４を延設する方向は限定しない。
【００３１】
第６c図は本発明５のＧ型モダン２を耳に掛けている状態を示している図であり、このＧ型モダン２に掛け渡して結合している支持体１２が頭の後に沿って接して止まっている。この支持体１２の形状は頭の後に沿っていれば良く、頭の上方に伸びる形状でも良い。
【実施例６】
【００３２】
本発明の請求項６記載のサイドミラー（以下、本発明６と言う）は、上記両ＣＧ型モダン２、２の最後尾に保持体７、７に変えて固定体１１、１１・・・又は固定カバー２０、２０が着脱自在に設けられていることを特徴としている。
【００３３】
実施の形態の一例として、第７a図は本発明６の固定体１１の側面図である。第７ｂ図は固定体１１を取り付けたＧ型モダン１を耳に掛けたことを示している。本発明１のＧ型モダン１の最後尾に、耳穴２の中の窪み１８に収まる大きさの固定体１１を、外耳道１７を塞がないように穴１９を設けて取り付けていることを示している。Ｇ型モダン１の形状は人によって異なり、耳穴２の中の窪み１８の形状も異なるので、固定体１１の形状は耳穴２や窪み１８の形状に合わせた形状が良い。大きく重い形状のサイドミラー、防風体１０、ひさし９などを取り付けた場合は、ヘッドバンド８を取り付けることによって、サイドミラーを固定することができる。
【００３４】
第７ｃ図は本発明６の固定カバー２０の側面図である。第７ｄ図は固定カバー２０を取り付けたＧ型モダン１を耳に掛けていることを示す図である。本発明１のＧ型モダン１の最後尾に耳穴２の中に収まる大きさの固定カバー２０を、外耳道１７を塞がないように穴１９を設けて取り付けていることを示している。固定カバー２０の形状、太さは限定することなく、耳殻全体の形状に沿わせて製作すれば良い。
【実施例７】
【００３５】
本発明の請求項７記載のサイドミラー（以下、本発明７と言う）は、上記２本のテンプル４、４の間に、ヘッドバンド８が頭の外側の形状に沿わせて掛け渡して取り付けられていることを特徴としている。
【００３６】
実施の形態の一例として、第８a図は、本発明１のサイドミラーにヘッドバンド８を取り付けた斜視図である。第８ｂ図は、本発明２の風防体１０を取り付けたサイドミラーにヘッドバンド８を取り付けた斜視図である。第８ｃ図は、本発明４のひさし１３を取り付けたサイドミラーにヘッドバンド８を取り付けた斜視図である。頭の形状に沿わせたヘッドバンド８でサイドミラーを固定することができる。長時間サイドミラーを使用する時に、保持体７の負担を分散するために補助的にヘッドバンド８を使用することができる。ヘッドバンド８の材質は、ゴム、プラスチック、織り布、紐などである。
【実施例８】
【００３７】
本発明の請求項８記載のサイドミラー（以下、本発明８と言う）は、上記ＣＧ型モダン２、２の略中央に屈曲部１６、１６を設け、屈曲可能に成されていることを特徴としている。
【００３８】
第９a図は、本発明１のモダン２に屈曲部１６を取り付けた斜視図である。第９ｂ図は、屈曲部１６を内側に折り曲げた状態を示す斜視図である。第９ｃ図は第９ｂ図の部分拡大図である。サイドミラーの使用後に、Ｇ型モダン２の略中央部に設けた屈曲部１６を内側に回転させて折り曲げた後、ヨロイ５を折り曲げてコンパクトにすることができる。
【実施例９】
【００３９】
本発明の請求項９記載のサイドミラー（以下、本発明９と言う）は、上記ヨロイ５、５に補助ヨロイ１５、１５を設け、この補助ヨロイ１５、１５に上記鏡１、１が取り付けられていることを特徴としている。
【００４０】
第１０a図は、本発明９のサイドミラーの斜視図であり、本発明１のヨロイ５に取り付けた補助ヨロイ１５に、鏡１、１を取り付けた状態を示している。第１０ｂ図は、補助ヨロイ１５を取り付けた鏡１、１を内側に折り曲げた状態を示している。第１０ｃ図は、本発明４のひさし１３を取り付けたサイドミラーのヨロイ５に、補助ヨロイ１５を取り付けて鏡１、１を内側に折り曲げた状態を示している。サイドミラーの使用後に、テンプル４のヨロイ５を折り曲げて、ヨロイ５に設けた補助ヨロイ１５を内側に回転させて折り曲げた後、サイドミラーを折り曲げてコンパクトにすることができる。
【実施例１０】
【００４１】
本発明の請求項１０記載のサイドミラー（以下、本発明１０と言う）は、上記ヨロイ５、５を省略して、このヨロイ５、５と上記テンプル４、４又は／及びヨロイ５、５と上記補助テンプル２２、２２が直結されて設けられていることを特徴としている。
【００４２】
実施の形態の一例として、第１１a図は、本発明１のサイドミラーを一体成型によって製作した斜視図であり、第１１ｂ図は、本発明１のサイドミラーにヘッドバンド８を取り付け、一体成型によって製作した斜視図であり、第１１ｃ図は、本発明２の風防体１０を取り付けたサイドミラーを、一体成型によって製作した斜視図であり、第１１ｄ図は、本発明４のひさし１３を取り付けたサイドミラーを、一体成型によって製作した斜視図である。
【００４３】
ヨロイ５を省略してヨロイ５とテンプル４を直結した形状を、一体成型によって製作することができる。一体成型で製作することによって、価格を下げることができる。
【産業上の利用可能性】
【００４４】
以上のように、パッドを省略して鼻に重さを感じる事が無く、耳に掛けるようにして目と首を動かすことによって、後方を見ることができるサイドミラーは、コンパクトで軽く自転車、モーターバイクに乗っている時、歩いている時に後方の安全を確認ができるサイドミラーとして適している
【符号の説明】
【００４５】
１    鏡
２    Ｇ型モダン
３    耳朶
４    テンプル
５    ヨロイ
６    耳穴
７    保持体
８    ヘッドバンド
９    連結体
１０    風防体
１１    固定体
１２    支持体
１３    ひさし
１４    モダン
１５    補助ヨロイ
１６    屈曲部
１７    外耳道
１８    窪み
１９    穴
２０    保持体
２１    着脱部
２２    補助テンプル
２３    サイドミラー部
２４    貫通穴
【図１】
2010176043.tif 000003
【図２】
2010176043.tif 000004
【図３】
2010176043.tif 000005
【図４】
2010176043.tif 000006
【図５】
2010176043.tif 000007
【図６】
2010176043.tif 000008
【図７】
2010176043.tif 000009
【図８】
2010176043.tif 000010
【図９】
2010176043.tif 000011
【図１０】
2010176043.tif 000012
【図１１】
2010176043.tif 000013
【手続補正書】
【提出日】平成21年3月27日(2009.3.27)
【手続補正１】
【補正対象書類名】明細書
【補正対象項目名】全文
【補正方法】変更
【補正の内容】
【発明の詳細な説明】
【技術分野】
【０００１】
本発明は、耳に掛けて後方を見るサイドミラーに関する。
【背景技術】
【０００２】
従来、自転車、モーターバイクのサイドミラーはハンドルに取り付けられていて、サイドミラーと目との間は離れている。走行中はサイドミラーの鏡が小さくハンドルの動きに合わせて動いているので、見たい後方とは違う方向に鏡が向いている場合があるので見難い。サイドミラーはハンドルより外側に突出しているので、走行中に当る危険性があり、ハンドル操作に影響する場合がある。サイドミラーの取り付け位置を変えることは難しい。
【先行技術文献】
【特許文献】
【０００３】
【特許文献１】特開２００７−４１４６０
【特許文献２】特開２００６−１３３７２８
【特許文献３】特開平８−２１１３３８
【０００４】
特許文献１は、長いストレートテンプルと係止具を用いているので、メガネを掛けた時に邪魔になり、見た目が悪くメガネを十分固定することはできない。
【０００５】
特許文献２は、ぜんまいばねによって両方の耳の部位のみで支持されているので、ばねによる圧迫感があり、メガネは十分固定されていない。
【０００６】
特許文献３は、一方のメガネのつるに髪止め状の器具を取り付けているので、バランスが悪く傾き易い。
【発明の概要】
【発明が解決しようとする課題】
【０００７】
サイドミラーはハンドルより外側に突出して取り付けられていて、鏡が小さく目との間が離れているので見え難いことが問題点となる。サイドミラーを目の近くに設けることによって、鏡を小さく軽くして見易いようにすることができる。そこで本発明は、サイドミラーを耳に掛けるようにして目に近い位置に設け、見たい方向の後方が見えるようにすることを課題としている。
【課題を解決するための手段】
【０００８】
左右２本のテンプル４、４の先に設けたヨロイ５、５に鏡１、１を取り付け、この鏡１、１に連結体１３を掛け渡して結合し、テンプル４、４の後にＧ型モダン２、２が耳殻の外側の形状に沿わせて延長されており、その終端部は耳朶３、３を避けるように前方に湾曲されており、このＧ型モダン２、２の終端部の最後尾には、耳穴６、６に固定するための保持体７、７が設けられていて、２本のテンプル４、４の間に、固定ベルト８が頭の外側の形状に沿わせて掛け渡られている構造である。
【発明の効果】
【０００９】
本発明の効果として、Ｇ型モダン２を耳殻に掛けて、このＧ型モダン２の終端部の最後尾に設けた保持体７を耳穴６の中で固定し、２本のテンプル４、４の間に、固定ベルト８が頭の外側の形状に沿わせて掛け渡して取り付けることによって、サイドミラーを耳に掛けることができる。サイドミラーを耳に掛けることによって、前方を見ながら顔の前方横に設けた小さい鏡で後方を見ることができる。首を少し回すことによって見たい後方を見ることができる。サイドミラーの形状が小さくなり取り扱い易い、サイドミラーを折り畳んで携帯することができる。風防体１０を取り付けことによって目を保護することができる。ひさし９を取り付けることによって、太陽の日差しを遮ることができる。
【図面の簡単な説明】
【００１０】
【図１】本発明１の実施の形態の一例を示す斜視図、説明図である。
【図２】本発明１の実施の形態の一例を示す説明図、ＡＡ線による縦断面図である。
【図３】本発明２の実施の形態の一例を示す斜視図である。
【図４】本発明２の実施の形態の一例を示す斜視図である。
【図５】本発明３の実施の形態の一例を示す斜視図である。
【図６】本発明４の実施の形態の一例を示す斜視図である。
【図７】本発明５の実施の形態の一例を示す説明図である。
【図８】本発明６の実施の形態の一例を示す斜視図である。
【図９】本発明７の実施の形態の一例を示す斜視図である。
【図１０】本発明８の実施の形態の一例を示す斜視図である。
【図１１】本発明９の実施の形態の一例を示す斜視図である。
【発明を実施するための形態】
【００１１】
左右２本のテンプル４、４の先に設けたヨロイ５、５に鏡１、１を取り付け、この鏡１、１に連結体１３を掛け渡して結合し、テンプル４、４の後にＧ型モダン２、２が耳殻の外側の形状に沿わせて延長させて、その終端部は耳朶３、３を避けるように前方に湾曲させ、このＧ型モダン２、２の終端部の最後尾には、耳穴６、６に固定するための保持体７、７が設けられていて、２本のテンプル４、４の間に、ヘッドバンド８が頭の外側の形状に沿わせて掛け渡して取り付けられていることである。
【実施例１】
【００１２】
そこで、本発明の請求項１記載のサイドミラー（以下、本発明１と言う）は、耳に掛けて後方を見るサイドミラーであって、左右２本のテンプル４、４の先に設けたヨロイ５、５に鏡１、１を取り付け、この鏡１、１に連結体９を掛け渡して結合し、上記テンプル４、４の後にＧ型モダン２、２が耳殻の外側の形状に沿わせて延長されており、その終端部は耳朶３、３を避けるように前方に湾曲されており、このＧ型モダン２、２の終端部の最後尾には、耳穴６、６に固定するための保持体７、７が設けられていて、さらに上記２本のテンプル４、４の間に、ヘッドバンド８が頭の外側の形状に沿わせて掛け渡して取り付けられていることを特徴としている。
【００１３】
実施の形態の一例として、第１a図は本発明１のサイドミラーの斜視図であり、第１b図は第１a図の保持体７の部分拡大図である。左右２本のテンプル４、４の先に設けたヨロイ５、５に鏡１、１を取り付け、この鏡１、１に連結体９を掛け渡して結合し、テンプル４、４の後にＧ型モダン２、２が耳殻の外側の形状に沿わせて延長させ、その終端部は耳朶３、３を避けるように前方に湾曲させ、このＧ型モダン２、２の終端部の最後尾には、耳穴６、６の中に固定するための保持体７、７が設けられていて、２本のテンプル４、４の間に、ヘッドバンド８が頭の外側の形状に沿わせて掛け渡して取り付けられていることを示している。
【００１４】
実施の形態の一例として、第１b図は第１a図の保持体７の部分拡大図である。保持体７は外耳道１７に嵌め込み易いようにイヤホーン状体の形状をしていて、音が聞こえるように貫通孔２４を設けている。このイヤホーン状体は外耳道１７内に入り過ぎないように外耳道１７より大きいストッパーを設けた形状であり、外耳道１７に嵌め込んで固定することができる。第１ｃ図は別の形状の保持体７の拡大図であり、目立たないように外耳道１７に嵌め込んで固定できる、中心に貫通孔２４を設けた小さい筒状体である。
【００１５】
実施の形態の一例として、第１d図は本発明１のＧ型モダン１を耳に固定し、２本のテンプル４、４の間に、ヘッドバンド８が頭の外側の形状に沿わせて掛け渡してサイドミラーを掛けた状態を示している。２個の保持体７を２箇所の外耳道１７に嵌め込んで固定し、２個のＧ型モダン１を耳殻に掛け、ヘッドバンド８を頭にのせることによってメガネを支えることができる。メガネのレンズは浮いた状態に成るのでパッドを省略することができる。Ｇ型モダン１、保持体７の材質を皮膚への接触感の良い弾性体で製作することによって、簡単にメガネを掛けたり外したりすることができる。
【００１６】
本発明で言う耳穴２とは、外耳道１７だけではなく耳殻、耳朶３で囲われた凹んだ部分を指している。本発明の保持体７の形状は、外耳道１７に挿入できる筒状体、窪み６の形状に合わせた保持し易い形状であり、人によって窪み６の形状が異なるため限定しない。耳穴２に納まる大きさであれば良い。連結体９、保持体２０の材質はスポンジ、プラスチック、ゴム、金属、セラミックなどである。鏡の材質は、ガラス、プラスチック、ステンレスなどである。
【００１７】
本発明１のサイドミラーは、パッドを省略してＧ型モダン２とヘッドバンド８でメガネを支えているので、顔の前に遮るものは無く、小さい鏡が前方の景色の中に見えているだけであり、前方を見ながら自然に小さい鏡に映った後方を見ることができる。首を少し回すことによって見たい方向の後方も見ることができる。サイドミラーを掛けた状態で帽子を被ることもできる。歩いている時も後方の安全を確認することができる。顔の横にサイドミラーは少し出ているがものに当たる心配はない。小さいのでサイドミラーを折り畳んで携帯することができる便利なサイドミラーである
【００１８】
実施の形態の一例として、第２a図は本発明１のＧ型モダン２の図であり、第２ｃ図は本発明１のＧ型モダン２を耳に掛けている状態を示している図であり、第２ｄ図は第２ｃ図のＡＡ線による断面図である。このＧ型モダン２は耳殻の外側の形状に沿わせて延長させ、終端部の最後尾に設けた保持体７の形状はイヤホーン状体である、この保持体７を外耳道１７に嵌めるようにして固定することができる。第２b図は別の保持体７の形状の図であり、耳殻の外側の形状に沿わせて延長させたＧ型モダン２、２の最後尾の保持体７、７は、耳穴６の中の窪み１８に嵌め込むようにした形状であり、外耳道１７を塞がない形状であることを示している。また保持体７はイヤホーン状体と窪み５の形状合わせて連結した形状にしても良い。
【００１９】
サイドミラーの取り付け位置は、目の前方外側の後方が見易い位置に取り付け、サイドミラーを見る時は、目を横に動かして見たい方向に首を少し回すだけで見ることができる。サイドミラーを見るために目を動かした時は、サイドミラーを見る左右の目の角度が異なり、一方の目はサイドミラーを見て他方の目は前方を見ているので、前方と後方を二重にして見ることができる。目と首を同時に動かすことによって広い範囲の前後の安全を確認することができる。
【実施例２】
【００２０】
本発明の請求項２記載のサイドミラー（以下、本発明２と言う）は、耳に掛けて後方を見るサイドミラーであって、左右２本のテンプル４、４の先に設けたヨロイ５、５に鏡１、１を取り付け、この鏡１、１又は上記テンプル４、４の間に風防体１０を設け、上記テンプル４、４の後にＧ型モダン２、２が耳殻の外側の形状に沿わせて延長されており、その終端部は耳朶３、３を避けるように前方に湾曲されており、このＧ型モダン２、２の終端部の最後尾には、耳穴６、６に入れるための保持体７、７が設けられていることを特徴としている。
【００２１】
実施の形態の一例として、第３a図は本発明２の鏡１、１の間に風防体１０を取り付けた斜視図であり、耳穴２内の外耳道１７に保持体７を嵌め込んで支持しているので、前方に長くしたテンプルの先端に大きい風防体１０を取り付け、メガネ状に形成することができる。大きな風防体１０を取り付けることによって、自転車を乗っている時に対向する風をよけて、顔を保護することができる。
【００２２】
かかる構成により、サイドミラーを顔の前方両側に取り付け、見たい方向に頭を左右に少し動かすことによって、肩越しに後方確認することができる。また大きい風防体３４を取り付けることによって、視野を広くし目を保護してサイドミラーから後方の安全を確認することができる。
【実施例３】
【００２３】
本発明の請求項３記載のサイドミラー（以下、本発明３と言う）は、耳に掛けて後方を見るサイドミラーであって、左右２本のテンプル４、４の先に設けたヨロイ５、５に風防板１０を取り付け、このヨロイ５、５又は上記テンプル４、４に着脱部２１、２１を設け、前方に補助テンプル２２、２２を延設し、この補助テンプル２２、２２の先端に鏡１、１を結合させてサイドミラー部２３とし、このサイドミラー部２３を着脱可能
に設けられていて、上記テンプル４、４の後にＧ型モダン２、２が耳殻の外側の形状に沿わせて延長されており、その終端部は耳朶３、３を避けるように前方に湾曲されており、このＧ型モダン２、２の終端部の最後尾には、耳穴６、６に固定するための保持体７、７が設けられていて、さらに上記２本のテンプル（４、４）の間に、ヘッドバンド（８）が頭の外側の形状に沿わせて掛け渡して取り付けられていることを特徴としている。
【００２４】
実施の形態の一例として、第４a図は本発明３の風防体１０をテンプル４、４に取り付けたサイドミラーの斜視図であり、第４b図は第４a図の部分拡大図であり、テンプル４、４に着脱部２１、２１を設け、前方に補助テンプル２２、２２を延設し、この補助テンプル２２、２２の先端に鏡１、１を結合させてサイドミラー部２３とし、このサイドミラー部２３を着脱可能に設け、テンプル４、４の後にＧ型モダン２、２が耳殻の外側の形状に沿わせて延長されて、その終端部は耳朶３、３を避けるように前方に湾曲されて、このＧ型モダン２、２の終端部の最後尾には、耳穴６、６に固定するための保持体７、７が設けられていて、２本のテンプル（４、４）の間に、ヘッドバンド（８）が頭の外側の形状に沿わせて掛け渡して取り付けられていることを示している。
【００２５】
テンプル４に補助テンプル２２によって前方に鏡１、１を設けることができるので、風防体１０は目の近くに設けることができる。第４ｃ図は着脱部２１をテンプル４に設けた図である。風防体１０を目に近づけてテンプル４、４に取り付けることによって、自転車を乗っている時に対向する風をよけることができる。目を保護することができる。
【実施例４】
【００２６】
本発明の請求項４記載のサイドミラー（以下、本発明４と言う）は、耳に掛けて後方を見るサイドミラーであって、左右２本のテンプル４、４の先に設けたヨロイ５、５に鏡１、１を取り付け、この鏡１、１の間にひさし１３を設け、上記テンプル４、４の後にＧ型モダン２、２が耳殻の外側の形状に沿わせて延長されており、その終端部は耳朶３、３を避けるように前方に湾曲されており、このＧ型モダン２、２の終端部の最後尾には、耳穴６、６に固定するための保持体７、７が設けられていることを特徴としている。
【００２７】
実施の形態の一例として、第５a図は本発明４の鏡１、１ひさし１３を取り付けた斜視図である。左右２本のテンプル４、４の先に設けたヨロイ５、５に鏡１、１を取り付け、この鏡１、１にを結合させ、テンプル４、４の後にＧ型モダン２、２が耳殻の外側の形状に沿わせて延長させ、その終端部は耳朶３、３を避けるように前方に湾曲させて、このＧ型モダン２、２の終端部の最後尾には、耳穴６、６に固定するための保持体７、７が設けられていることを示している。
【００２８】
第５ｂ図は本発明４のメガネにひさし１３を取り付け耳に掛けているので、太陽の日差しを遮ることができる。
【実施例５】
【００２９】
本発明の請求項５記載のサイドミラー（以下、本発明５と言う）は、耳に掛けて後方を見るサイドミラーであって、左右２本のテンプル４、４の先に設けたヨロイ５、５に鏡１、１を取り付け、このテンプル４、４の後にＧ型モダン２、２が耳殻の外側の形状に沿わせて延長されており、その終端部は耳朶３、３を避けるように前方に湾曲されており、このＧ型モダン２、２の終端部の最後尾には、耳穴６、６に入れるための保持体７、７が設けられ、このＧ型モダン２、２が支持体１２によって結合されていて、さらに上記２本のテンプル（４、４）の間に、ヘッドバンド（８）が頭の外側の形状に沿わせて掛け渡して取り付けられていることを特徴としている。
【００３０】
実施の形態の一例として、第６a図は本発明５のサイドミラーの斜視図であり、左右２本のテンプル４、４の先に設けたヨロイ５、５に鏡１、１を取り付け、このテンプル４、４の後にＧ型モダン２、２が耳殻の外側の形状に沿わせて延長させ、その終端部は耳朶３、３を避けるように前方に湾曲させ、このＧ型モダン２、２の終端部の最後尾には、耳穴６、６に固定するための保持体７、７が設けられ、このＧ型モダン２、２が支持体１２によって結合されていて、２本のテンプル（４、４）の間に、ヘッドバンド（８）が頭の外側の形状に沿わせて掛け渡して取り付けられていることを示している。第６b図は２本のテンプル４、４が前方外側に延設されていることを示している。鏡１を固定しているテンプル４を延設する方向は限定しない。
【００３１】
第６c図は本発明５のＧ型モダン２を耳に掛け、ヘッドバンド８が頭にのっている状態を示している図であり、このＧ型モダン２に掛け渡して結合している支持体１２が頭の後に沿って接して止まっている。この支持体１２の形状は頭の後に沿っていれば良く、頭の上方に伸びる形状でも良い。
【実施例６】
【００３２】
本発明の請求項６記載のサイドミラー（以下、本発明６と言う）は、上記両ＣＧ型モダン２、２の最後尾に保持体７、７に変えて固定体１１、１１・・・又は固定カバー２０、２０が着脱自在に設けられていることを特徴としている。
【００３３】
実施の形態の一例として、第７a図は本発明６の固定体１１の側面図である。第７ｂ図は固定体１１を取り付けたＧ型モダン１を耳に掛けたことを示している。本発明１のＧ型モダン１の最後尾に、耳穴２の中の窪み１８に収まる大きさの固定体１１を、外耳道１７を塞がないように穴１９を設けて取り付けていることを示している。Ｇ型モダン１の形状は人によって異なり、耳穴２の中の窪み１８の形状も異なるので、固定体１１の形状は耳穴２や窪み１８の形状に合わせた形状が良い。大きく重い形状のサイドミラー、防風体１０、ひさし９などを取り付けた場合は、ヘッドバンド８を取り付けることによって、サイドミラーを固定することができる。
【００３４】
第７ｃ図は本発明６の固定カバー２０の側面図である。第７ｄ図は固定カバー２０を取り付けたＧ型モダン１を耳に掛けていることを示す図である。本発明１のＧ型モダン１の最後尾に耳穴２の中に収まる大きさの固定カバー２０を、外耳道１７を塞がないように穴１９を設けて取り付けていることを示している。固定カバー２０の形状、太さは限定することなく、耳殻全体の形状に沿わせて製作すれば良い。
【実施例７】
【００３５】
本発明の請求項７記載のサイドミラー（以下、本発明７と言う）は、上記２本のテンプル４、４の間に、ヘッドバンド８が頭の外側の形状に沿わせて掛け渡して取り付けられていることを特徴としている。
【００３６】
実施の形態の一例として、第８a図は、本発明２の風防体１０を取り付けたサイドミラーにヘッドバンド８を取り付けた斜視図である。第８ｂ図は、本発明４のひさし１３を取り付けたサイドミラーにヘッドバンド８を取り付けた斜視図である。頭の形状に沿わせたヘッドバンド８でサイドミラーを固定することができる。長時間サイドミラーを使用する時に、保持体７の負担を分散するために補助的にヘッドバンド８を使用することができる。ヘッドバンド８の材質は、ゴム、プラスチック、織り布、紐などである。
【実施例８】
【００３７】
本発明の請求項８記載のサイドミラー（以下、本発明８と言う）は、上記ＣＧ型モダン２、２の略中央に屈曲部１６、１６を設け、屈曲可能に成されていることを特徴としている。
【００３８】
第９a図は、本発明１のモダン２に屈曲部１６を取り付けた斜視図である。第９ｂ図は、屈曲部１６を内側に折り曲げた状態を示す斜視図である。第９ｃ図は第９ｂ図の部分拡大図である。サイドミラーの使用後に、Ｇ型モダン２の略中央部に設けた屈曲部１６を内側に回転させて折り曲げた後、ヨロイ５を折り曲げてコンパクトにすることができる。
【実施例９】
【００３９】
本発明の請求項９記載のサイドミラー（以下、本発明９と言う）は、上記ヨロイ５、５に補助ヨロイ１５、１５を設け、この補助ヨロイ１５、１５に上記鏡１、１が取り付けられていることを特徴としている。
【００４０】
第１０a図は、本発明９のサイドミラーの斜視図であり、本発明１のヨロイ５に取り付けた補助ヨロイ１５に、鏡１、１を取り付けた状態を示している。第１０ｂ図は、補助ヨロイ１５を取り付けた鏡１、１を内側に折り曲げた状態を示している。第１０ｃ図は、本発明４のひさし１３を取り付けたサイドミラーのヨロイ５に、補助ヨロイ１５を取り付けて鏡１、１を内側に折り曲げた状態を示している。サイドミラーの使用後に、テンプル４のヨロイ５を折り曲げて、ヨロイ５に設けた補助ヨロイ１５を内側に回転させて折り曲げた後、サイドミラーを折り曲げてコンパクトにすることができる。
【実施例１０】
【００４１】
本発明の請求項１０記載のサイドミラー（以下、本発明１０と言う）は、上記ヨロイ５、５を省略して、このヨロイ５、５と上記テンプル４、４又は／及びヨロイ５、５と上記補助テンプル２２、２２が直結されて設けられていることを特徴としている。
【００４２】
実施の形態の一例として、第１１a図は、本発明１のサイドミラーを一体成型によって製作した斜視図であり、第１１ｂ図は、本発明１のサイドミラーにヘッドバンド８を取り付け、一体成型によって製作した斜視図であり、第１１ｃ図は、本発明２の風防体１０を取り付けたサイドミラーを、一体成型によって製作した斜視図であり、第１１ｄ図は、本発明４のひさし１３を取り付けたサイドミラーを、一体成型によって製作した斜視図である。
【００４３】
ヨロイ５を省略してヨロイ５とテンプル４を直結した形状を、一体成型によって製作することができる。一体成型で製作することによって、価格を下げることができる。
【産業上の利用可能性】
【００４４】
以上のように、パッドを省略して鼻に重さを感じる事が無く、耳に掛けるようにして目と首を動かすことによって、後方を見ることができるサイドミラーは、コンパクトで軽く自転車、モーターバイクに乗っている時、歩いている時に後方の安全を確認ができるサイドミラーとして適している
【符号の説明】
【００４５】
１    鏡
２    Ｇ型モダン
３    耳朶
４    テンプル
５    ヨロイ
６    耳穴
７    保持体
８    ヘッドバンド
９    連結体
１０    風防体
１１    固定体
１２    支持体
１３    ひさし
１４    モダン
１５    補助ヨロイ
１６    屈曲部
１７    外耳道
１８    窪み
１９    穴
２０    保持体
２１    着脱部
２２    補助テンプル
２３    サイドミラー部
２４    貫通穴
【手続補正２】
【補正対象書類名】特許請求の範囲
【補正対象項目名】請求項１
【補正方法】変更
【補正の内容】
【請求項１】
耳に掛けて後方を見るサイドミラーであって、左右２本のテンプル（４、４）の先に設けたヨロイ（５、５）にサイドミラー（１、１）を取り付け、このサイドミラー（１、１）に連結体（９）を掛け渡して結合し、上記テンプル（４、４）の後にＧモダン（２、２）が耳殻の外側の形状に沿わせて延長されており、その終端部は耳朶（３、３）を避けるように前方に湾曲されており、このＧモダン（２、２）の終端部の最後尾には、耳穴（６、６）に入れるための保持体（７、７）が設けられていて、さらに上記２本のテンプル（４、４）の間に、ヘッドバンド（８）が頭の外側の形状に沿わせて掛け渡して取り付けられていることを特徴とするサイドミラー。
【手続補正３】
【補正対象書類名】特許請求の範囲
【補正対象項目名】請求項３
【補正方法】変更
【補正の内容】
【請求項３】
耳に掛けて後方を見るサイドミラーであって、左右２本のテンプル（４、４）の先に設けたヨロイ（５、５）に風防板（１０）を取り付け、このヨロイ（５、５）又は上記テンプル（４、４）に着脱部（２１、２１）を設け、前方に補助テンプル（２２、２２）を延設し、この補助テンプル（２２、２２）の先端にサイドミラー（１、１）を結合させてサイドミラー部（２３）とし、このサイドミラー部（２３）を着脱可能に設けられていて、上記テンプル（４、４）の後にＧ型モダン（２、２）が耳殻の外側の形状に沿わせて延長されており、その終端部は耳朶（３、３）を避けるように前方に湾曲されており、このＧ型モダン（２、２）の終端部の最後尾には、耳穴（６、６）に固定するための保持体（７、７）が設けられていて、さらに上記２本のテンプル（４、４）の間に、ヘッドバンド（８）が頭の外側の形状に沿わせて掛け渡して取り付けられていることを特徴とするサイドミラー。
【手続補正４】
【補正対象書類名】特許請求の範囲
【補正対象項目名】請求項５
【補正方法】変更
【補正の内容】
【請求項５】
耳に掛けて後方を見るサイドミラーであって、左右２本のテンプル（４、４）の先に設けたヨロイ（５、５）にサイドミラー（１、１）を取り付け、このテンプル（４、４）の後にＧ型モダン（２、２）が耳殻の外側の形状に沿わせて延長されており、その終端部は耳朶（３、３）を避けるように前方に湾曲されており、このＧ型モダン（２、２）の終端部の最後尾には、耳穴（６、６）に固定するための保持体（７、７）が設けられ、このＧ型モダン（２、２）が支持体（１２）によって結合されていて、さらに上記２本のテンプル（４、４）の間に、ヘッドバンド（８）が頭の外側の形状に沿わせて掛け渡して取り付けられていることを特徴とするサイドミラー。
【手続補正５】
【補正対象書類名】特許請求の範囲
【補正対象項目名】請求項７
【補正方法】変更
【補正の内容】
【請求項７】
上記２本のテンプル（４、４）の間に、ヘッドバンド（８）が頭の外側の形状に沿わせて掛け渡して取り付けられていることを特徴とする請求項２又は４記載のサイドミラー。
【手続補正７】
【補正対象書類名】図面
【補正対象項目名】図１
【補正方法】変更
【補正の内容】
【図１】
2010176043.tif 000014
【手続補正８】
【補正対象書類名】図面
【補正対象項目名】図４
【補正方法】変更
【補正の内容】
【図４】
2010176043.tif 000015
【手続補正９】
【補正対象書類名】図面
【補正対象項目名】図６
【補正方法】変更
【補正の内容】
【図６】
2010176043.tif 000016
【手続補正１０】
【補正対象書類名】図面
【補正対象項目名】図８
【補正方法】変更
【補正の内容】
【図８】
2010176043.tif 000017
【手続補正書】
【提出日】平成21年7月2日(2009.7.2)
【手続補正１】
【補正対象書類名】明細書
【補正対象項目名】００３２
【補正方法】変更
【補正の内容】
【００３２】
本発明の請求項６記載のサイドミラー（以下、本発明６と言う）は、上記Ｇ型モダン２、２の最後尾に保持体７、７に変えて、外耳道１７を塞がないように貫通穴２４を設け、耳穴６や窪み１８に合わせた形状の固定体１１、１１又は外耳道１７を塞がないように貫通穴２４を設け、耳殻全体の形状に合わせた固定カバー２０、２０が着脱自在に設けられていることを特徴としている。
【手続補正２】
【補正対象書類名】明細書
【補正対象項目名】００３３
【補正方法】変更
【補正の内容】
【００３３】
実施の形態の一例として、第７a図は本発明６の固定体１１の側面図である。第７ｂ図は固定体１１を取り付けたＧ型モダン１を耳に掛けたことを示している。本発明１のＧ型モダン１の最後尾に、耳穴６の中の窪み１８に収まる大きさの固定体１１を、外耳道１７を塞がないように貫通穴２４を設けて取り付けていることを示している。Ｇ型モダン１の形状は人によって異なり、耳穴６の中の窪み１８の形状も異なるので、固定体１１の形状は耳穴６や窪み１８の形状に合わせた形状が良い。大きく重い形状のサイドミラー、防風体１０、ひさし９などを取り付けた場合は、ヘッドバンド８を取り付けることによって、サイドミラーを固定することができる。
【手続補正３】
【補正対象書類名】明細書
【補正対象項目名】００３４
【補正方法】変更
【補正の内容】
【００３４】
第７ｃ図は本発明６の固定カバー２０の側面図である。第７ｄ図は固定カバー２０を取り付けたＧ型モダン１を耳に掛けていることを示す図である。本発明１のＧ型モダン１の最後尾に、外耳道１７を塞がないように貫通穴２４を設けて取り付けていることを示している。固定カバー２０の形状、太さは限定することなく、耳殻全体の形状に沿わせて製作すれば良い。
【手続補正４】
【補正対象書類名】明細書
【補正対象項目名】００３７
【補正方法】変更
【補正の内容】
【００３７】
本発明の請求項８記載のサイドミラー（以下、本発明８と言う）は、上記Ｇ型モダン２、２の略中央に屈曲部１６、１６を設け、屈曲可能に成されていることを特徴としている。
【手続補正５】
【補正対象書類名】明細書
【補正対象項目名】００４５
【補正方法】変更
【補正の内容】
【００４５】
１    鏡
２    Ｇ型モダン
３    耳朶
４    テンプル
５    ヨロイ
６    耳穴
７    保持体
８    ヘッドバンド
９    連結体
１０    風防体
１１    固定体
１２    支持体
１３    ひさし
１４    モダン
１５    補助ヨロイ
１６    屈曲部
１７    外耳道
１８    窪み
２０    固定カバー
２１    着脱部
２２    補助テンプル
２３    サイドミラー部
２４    貫通穴
【手続補正６】
【補正対象書類名】特許請求の範囲
【補正対象項目名】請求項６
【補正方法】変更
【補正の内容】
【請求項６】
上記Ｇ型モダン２、２の最後尾に保持体（７、７）に変えて、外耳道（１７）を塞がないように貫通穴（２４）を設け、耳穴（６）や窪み（１８）に合わせた形状の固定体（１１、１１）又は外耳道（１７）を塞がないように貫通穴（２４）を設け、耳殻全体に合わせた形状の固定カバー（２０、２０）が着脱自在に設けられていることを特徴とする請求項１〜５の何れかに記載のサイドミラー。
【手続補正７】
【補正対象書類名】特許請求の範囲
【補正対象項目名】請求項８
【補正方法】変更
【補正の内容】
【請求項８】
上記Ｇ型モダン（２、２）の略中央に屈曲部（１６、１６）を設け、屈曲可能に成されていることを特徴とする請求項１〜５の何れかに記載のサイドミラー。